【手続補正書】
【提出日】平成23年1月12日(2011.1.12)
【手続補正１】
【補正対象書類名】特許請求の範囲
【補正対象項目名】全文
【補正方法】変更
【補正の内容】
【特許請求の範囲】
【請求項１】
胃腸内視鏡用クリップ器具送達装置であって、
細長胃腸内視鏡１０のワーキングチャンネル７４内に摺動可能にされた止血クリップ器具であって、細長展開器具１１４と着脱式に操作可能に連結され、半径方向に拡張した開放位置１２７’と、止血のための係合閉止位置１２７”との間を移動可能な少なくとも３本のクリップアーム１２７を備える止血クリップ器具１１１と、
前記胃腸内視鏡１０の遠位端部分上に着脱式に嵌まる近位チューブ装着部２２０を備える保護キャップ２１０であって、前記近位チューブ装着部２２０がチューブ収納ルーメン２２２を備え、当該保護キャップの遠位部２３０が、前記胃腸内視鏡１０の遠位端部分の遠位に延在するよう構成されて前記クリップアームを半径方向で拡張可能なように受け入れるクリップアーム収容チャンバ２３２を備える、保護キャップ２１０と
を備え、
前記近位チューブ装着部２２０の前記チューブ収納ルーメン２２２が前記胃腸内視鏡１０の遠位端部分６５、１９０’を着脱可能に受け入れて気密係合し、内視鏡１０を通してクリップアーム収納チャンバ２３２内に吸引をかけて対象組織を該クリップアーム収納チャンバ２３２内に引き入れることができるようにされている胃腸内視鏡用クリップ器具送達装置。
【請求項２】
前記保護キャップ２１０の前記近位チューブ装着部２２０が、該近位チューブ装着部を前記胃腸内視鏡の遠位端部分６５、１９０’と着脱式に操作可能に連結するよう構成される近位開口２２４及びチューブ係合内表面２２６を備える請求項１に記載の胃腸内視鏡用クリップ器具送達装置。
【請求項３】
前記保護キャップ２１０が、前記近位開口２２４と当該保護キャップの遠位開口２３４との中間に配置されたチューブ制止要素２２８を有し、該チューブ制止要素が前記チューブ収容ルーメン２２２に向けて内側に突出するとともに前記胃腸内視鏡の遠位端部分６５、１９０’の前記保護キャップの前記近位チューブ装着部２２０に対する遠位方向への移動を阻止するサイズであり、且つ前記クリップアームの前記近位チューブ装着部２２０から前記クリップアーム収容チャンバ２３２への通過を許容すると共に前記吸引を前記前記クリップアーム収容チャンバ２３２に通すサイズの通路２４０を有するチューブ制止要素２２８をさらに備える請求項２に記載の胃腸内視鏡用クリップ器具送達装置。
【請求項４】
前記保護キャップ２１０の遠位部２３０が、前記クリップアーム収容チャンバ２３２に向けて内側に突出するとともに、少なくとも前記部分的に半径方向に拡張したクリップアーム１２７が前記保護キャップ２１０の前記遠位開口２３４を越える遠位移動を阻止するサイズのフランジ２３８をさらに備える請求項２に記載の胃腸内視鏡用クリップ器具送達装置。
【請求項５】
前記胃腸内視鏡の遠位端部分６５、１９０’を貫通するとともに前記展開器具１１４を摺動可能に収容するよう構成されるワーキングチャンネル７４、１８８を有する細長胃腸内視鏡４０、１１２をさらに備える胃腸内視鏡用クリップ器具送達装置であって、前記胃腸内視鏡の遠位端部分６５、１９０’が外表面６６、１９６及び遠位端面７８、１９８’をさらに備え、前記保護キャップのチューブ装着部が前記胃腸内視鏡の遠位端部分と着脱式に操作可能に連結される請求項１に記載の胃腸内視鏡用クリップ器具送達装置。
【請求項６】
前記近位チューブ装着部２２０が、前記胃腸内視鏡の遠位端部分６５上に嵌まるとともに、前記クリップアーム収容チャンバ２３２が前記胃腸内視鏡の遠位端部分６５の遠位に延在するように前記内視鏡の遠位端部分６５の外表面６６上に着脱式に装着される請求項５に記載の胃腸内視鏡用クリップ器具送達装置。
【請求項７】
前記胃腸内視鏡のワーキングチャンネル７４内に摺動可能に配置されるとともに遠位端部分１９０’及び外側シースワーキングチャンネル１８８を有する細長外側シース１３０、前記外側シースワーキングチャンネル内に摺動可能に配置されるとともに遠位端部分１５２及び内側シースワーキングチャンネル１４８を有する細長内側シース１４０をさらに備える装置であって、前記細長展開器具１１４が、前記内側シースワーキングチャンネル内に実質的に摺動可能に収容される操作ワイヤである請求項６に記載の胃腸内視鏡用クリップ器具送達装置。
【請求項８】
外側シースワーキングチャンネル１８８と、外側シース遠位端部分１９０’と、前記保護キャップチューブ装着部が着脱式に装着される外側シース遠位端部分外表面１９６とを有する細長外側シース１３０をさらに備える請求項５に記載の胃腸内視鏡用クリップ器具送達装置。
【請求項９】
前記操作ワイヤが内部に摺動可能に収容される内側シースワーキングチャンネル１４８を有し、前記外側シースワーキングチャンネル内に摺動可能に収容される、細長内側シース１４０をさらに備える請求項８に記載の胃腸内視鏡用クリップ器具送達装置。
【請求項１０】
前記止血クリップ器具１１１が、さらに第１のリテーナ１２０を備え、該第１のリテーナ１２０から遠位に延在して遠位の歯１２８を有する前記アーム１２７の少なくとも１つを有し、前記止血クリップ器具１１１が、前記複数のアーム１２７を摺動可能に収容するルーメン１３８を有する摺動リング１３２をさらに備え、該摺動リング１３２が、前記第１のリテーナ１２０と前記遠位端の歯１２７との中間に配置されて前記アーム１２７をいっしょに係合して閉止するよう構成される請求項１に記載の胃腸内視鏡用クリップ器具送達装置。
【請求項１１】
前記第１のリテーナ１２０と着脱式に操作可能に連結される第１の端部分１６２と、前記細長展開器具１１４と操作可能に連結される第２の端部分１６４とを有する第２のリテーナ１６０をさらに備える請求項１０に記載の胃腸内視鏡用クリップ器具送達装置。
【請求項１２】
前記摺動リング１３２が、複数のクリップアーム１２７の周囲に配置されて前記クリップアームを閉止位置１２７”に移動させる摺動リングの第１の位置１３５と、前記クリップアーム１２７を互いに離間させて拡張位置１２７’とする摺動リングの第２の位置１３５’との間を移動可能である請求項１０に記載の胃腸内視鏡用クリップ器具送達装置。
【請求項１３】
前記第１のリテーナ１２０が、遠位の第１の端部１２４と、前記第２のリテーナ１６０のノッチ１６６と係合するよう構成されるフック１３７を備える近位の第２の端部１２２と、前記第２のリテーナ１６０のフック１３７’と係合するよう構成されるノッチ１２６とを備える、請求項１２に記載の胃腸内視鏡用クリップ器具送達装置。
【請求項１４】
前記保護キャップの遠位部２３０が、クリップアーム収容チャンバ２３２へのアクセスを前記保護キャップの遠位開口２３４及び通路２４０を通してのアクセスに限定して、前記吸引及び前記止血クリップ器具１１１は該通路２４０を通して前記クリップアーム収容チャンバ２３２に通じるように構成されている請求項３に記載の胃腸内視鏡用クリップ器具送達装置。
【請求項１５】
前記保護キャップの遠位部２３０が側部開口の無いものとされ、前記対象組織が前記保護キャップの遠位開口２３４を通してのみ引き込まれるようにした請求項１４に記載の胃腸内視鏡用クリップ器具送達装置。
【請求項１６】
前記保護キャップの遠位開口２３４は、遠位方向に面して、前記保護キャップの遠位部２３０の内面から半径方向内側に向かうに従い前記保護キャップの前記近位開口２２４側へ傾斜して円錐状とされた面を有し、前記クリップアーム収納チャンバ２３２に開口２３４を通して引き込まれる対象組織が損傷されないようにされている請求項１５に記載の胃腸内視鏡用クリップ器具送達装置。
【請求項１７】
前記通路２４０は、前記保護キャップの長手軸線に沿った当該保護キャップの中央位置に設けられている請求項３に記載の胃腸内視鏡用クリップ器具送達装置。
【請求項１８】
前記密封係合は、気密係合とされている請求項１に記載の胃腸内視鏡用クリップ器具送達装置。